(57)【要約】【課題】開封状態と未開封状態を一目で確認することができる注出口を提供すること。【解決手段】容器に取り付けられる注出口本体１とこの注出口本体１の筒状部３に被冠するキャップ１３とからなる注出口であって、開封して再封した時に注出口本体１に対するキャップ１３の高さが低くなるように構成する。開封前と開封後ではキャップの高さが異なるので、開封状態と未開封状態が一目で確認することができる。【選択図】図５
2004123237.tif 000002
【特許請求の範囲】
【請求項１】
　容器に取り付けられる注出口本体とこの注出口本体の筒状部に被冠するキャップとからなる注出口であって、開封して再封した時に注出口本体に対するキャップの高さが低くなるように構成されていることを特徴とする注出口。
【請求項２】
　注出口本体はその下方部に容器に設けられた孔に取り付けるためのフランジを備えていることを特徴とする請求項１に記載の注出口。
【発明の詳細な説明】
【技術分野】
【０００１】
　本発明は、液体を収納する紙容器やその他の容器に取り付けて使用される注出口に関するものである。
【背景技術】
【０００２】
　従来、例えばゲーベルトップ型の紙容器に取り付けられる注出口として、容器に設けられた孔に取り付けるためのフランジを下部周囲に備えた筒状部からなる注出口本体と、この注出口本体の筒状部に被冠するキャップとからなり、注出口本体にプルリングが備えられ、そのプルリングを引っ張ることによって注出口本体内に薄肉部を介して設けられた封止膜をその薄肉部から切断して注ぎ口を形成するように構成されたものがある。
【発明の開示】
【発明が解決しようとする課題】
【０００３】
　このタイプの注出口は、キャップを注出口本体の筒状部に設けた螺子をキャップの螺子に係合させねじ込んで注出口を密閉するように構成されているため、プルリングを引っ張ることによって封止膜を薄肉部から切断して注ぎ口を形成して開封したことが外観から判断することができないという問題点がある。そのため消費者が購入した商品についてキャップを取ったら開封されていたといったクレームが発生し、そのため販売店の信用が低下することが起こり得る。
【０００４】
　したがって、バージン性を確保する視点から、注出口を含む容器全体をシュリンクフィルムで保護した状態とし、店頭陳列時にキャップが悪戯で開封されるのを回避するようにしているのが実情である。
【０００５】
　本発明は、上記のような問題点に鑑みてなされたものであり、その目的とするところは、開封状態と未開封状態を一目で確認することができ、したがってシュリンクフィルムで保護することなしにバージン性を確保できる注出口を提供することにある。
【課題を解決するための手段】
【０００６】
　上記の目的を達成するため、本発明の注出口は、容器に取り付けられる注出口本体とこの注出口本体の筒状部に被冠するキャップとからなる注出口であって、開封して再封した時に注出口本体に対するキャップの高さが低くなるように構成されていることを特徴としている。
【０００７】
　上記構成の注出口において、注出口本体はその下方部に容器に設けられた孔に取り付けるためのフランジを備えることによりカートン容器に取り付けることができる。また、フランジに代えて注出口本体の下方部を例えばＰＥＴボトルの口部に螺着可能な構成にしてもよい。
【発明の効果】
【０００８】
　本発明の注出口は、本発明の注出口は、容器に取り付けられる注出口本体とこの注出口本体の筒状部に被冠するキャップとからなる注出口であって、開封して再封した時に注出口本体に対するキャップの高さが低くなるように構成されていることを特徴としているので、開封前と開封後ではキャップの高さが異なることから、開封状態と未開封状態が一目で確認することができる。
【発明を実施するための最良の形態】
【０００９】
　次に、本発明の実施の形態について図面を参照しながら詳細に説明する。
【００１０】
　図１は本発明に係る注出口を構成する注出口本体を示すもので、（ａ）は注出口本体の半断面図、（ｂ）はプルリングの一部断面図、（ｃ）は注出口本体の一部上面図である。また、図２は図１に示す注出口本体と組み合わせるキャップを示す半断面図、図３は注出口本体とキャップを組み合わせた注出口の外観を示す側面図である。
【００１１】
　図１に示すように、注出口本体１は、容器に設けられた孔に取り付けるためのフランジ２を下部周囲に備えた筒状部３を有する。注出口本体１の筒状部３はその外周に螺子を有する螺子付筒部４を備え、筒状部３の内側には環状の薄肉部５を介して筒状部３の内部を塞ぐ封止膜６が連設され、封止膜６には支柱７を介して筒状部上端よりも高く突き出る環状のプルリング８が連設されている。このプルリング８のリング部分には、支柱７と相対する側の内外両面に掴み補助用突部９ (図１（ｂ））が周方向に所望の長さに突設されている。
【００１２】
　この例に示すプルリング８は、筒状部上端より高く突き出るように形成されているので、リング部分を掴んで引っ張り封止膜６を取り除く操作を簡単に造作なく行うことができる。
【００１３】
　さらに、筒状部３の螺子付筒部４よりも下方には螺子付筒部４から間隔をおいてキャップ下方部と係合するキャップ係止部１０を備えている。また、キャップ係止部１０はその上端部に複数の掛止め突起１１ (図１（ａ），（ｃ））が設けられている。そして、フランジ２から上方に容器壁の厚さに相当する間隔をおいたところに複数の突起１２が設けられている。
【００１４】
　図２に示すように、キャップ１３は、注出口本体１の螺子付筒部４に係合する螺子付内周面部１４と該螺子付内周面部１４の下側に薄肉部１５を介して連設された開封用帯状部１６と該開封用帯状部１６の下側に薄肉部１７を介して連設された注出口本体１のキャップ係止部１０に係止されるキャップ下方部１８を備えている。このキャップ下方部１８はキャップ係止部１０の掛止め突起１１に係止される凹溝１９を有する。さらに、天板２０から垂下して筒状壁部２１が設けられている。この筒状壁部２１は、注出口本体１の螺子付筒部４を内側から支持し、螺子付筒部４と螺子付内周面部１４の係合を確実にする働きをする。
【００１５】
　図３はキャップ１３を注出口本体１に被冠した状態の外観図であり、この図３から分かるように、螺子付内周面部１４に対応するキャップ１３の外周面にはローレット２３が刻設されている。そして、開封用帯状部１６はギザギザの外形を有し、開封用帯状部１６の一部に開封口１６ａが設けられ、開封口１６ａにつながる開封用帯状部の端部を始点として開封用帯状部１６を周方向に引っ張って取り除くことができるように構成されている。
【００１６】
　図４はキャップ１３を注出口本体１に被冠した状態での半断面図である。キャップ１３の螺合部とキャップ下方部１８の間に開封用帯状部１６が存在することにより、螺子付内周面部１４は螺子付筒部４よりも上方に位置しているので、注出口本体１にキャップ１３を被冠し、キャップ下方部１８がキャップ係止部１０に係止されるまで押し込むことにより、キャップ１３を注出口本体１に取り付けることができる。すなわち、螺子付内周面部１４及び螺子付筒部４の存在が障害となることなく、キャップ１３を打栓により注出口本体１に取り付けることができ、ねじ込み取付けにおけるようなトルクの管理が不要である。そして、取付け後はキャップ下方部１８はキャップ係止部１０に対して回転可能に係止される。
【００１７】
　上記のようにしてキャップ１３を注出口本体１に被冠してなる注出口を、例えば板紙製のカートン容器の内側から容器に形成した孔に突起１２を乗り越えさせてフランジ２を容器壁に密着し、その状態でフランジ２を容器壁２２に溶着することにより注出口は容器に取り付けられる。その後、カートン容器には充填機により内容液が充填され、店頭に商品として陳列される。図７は本発明の注出口を取り付けたゲーベルトップ型のカートン容器の一例を示すものである。
【００１８】
　図５及び図６は、開封用帯状部１６を周方向に引っ張って取り除き、螺子付内周面部１４を螺子付筒部４に係合することにより、キャップ上方部１３ａを注出口本体１にねじ込んだ状態を示す半断面図と側面図である。これらの図から分かるように、キャップ上方部１３ａとキャップ下方部１８の間に開封用帯状部１６の幅より狭い空隙２４が存在し、キャップの高さが低くなるので、これにより開封したことが一目瞭然となる。
【００１９】
　なお、上記の実施の形態において、注出口本体はその下方部に容器に設けられた孔に取り付けるためのフランジを備えるが、そのように構成することに代えて注出口本体の下方部を例えばＰＥＴボトルの口部に螺着可能な構成にしてもよい。
【図面の簡単な説明】
【００２０】
【図１】本発明に係る注出口を構成する注出口本体を示すもので、（ａ）は注出口本体の半断面図、（ｂ）はプルリングの一部断面図、（ｃ）は注出口本体の一部上面図である。
【図２】図１に示す注出口本体と組み合わせるキャップを示す半断面図である。
【図３】注出口本体とキャップを組み合わせた注出口の外観を示す側面図である。
【図４】注出口を容器に取り付けた状態で示す半断面図である。
【図５】開封用帯状部を取り除いて注出口本体にキャップを取り付けた状態を示す半断面図である。
【図６】開封用帯状部を取り除いて注出口本体にキャップを取り付けた状態を示す側面図である。
【図７】本発明の注出口を取り付けたゲーベルトップ型のカートン容器の一例を示す斜視図である。
【符号の説明】
【００２１】
　１　注出口本体
　２　フランジ
　３　筒状部
　４　螺子付筒部
　５　薄肉部
　６　封止膜
　７　支柱
　８　プルリング
　９　掴み補助用突部
　１０　キャップ係止部
　１１　掛止め突起
　１２　突起
　１３　キャップ
　１３ａ　キャップ上方部
　１４　螺子付内周面部
　１５　薄肉部
　１６　開封用帯状部
　１６ａ　開封口
　１７　薄肉部
　１８　キャップ下方部
　１９　凹溝
　２０　天板
　２１　筒状壁部
　２２　容器壁
　２３　ローレット
　２４　空隙
【図１】
2004123237.tif 000003
【図２】
2004123237.tif 000004
【図３】
2004123237.tif 000005
【図４】
2004123237.tif 000006
【図５】
2004123237.tif 000007
【図６】
2004123237.tif 000008
【図７】
2004123237.tif 000009